(57)【特許請求の範囲】
【請求項１】
（ａ）モジュールを上方より挿入することにより収容するソケットであって、
（ｂ）絶縁性材料から成り、前記モジュールの底部と対向する底板部、及び、該底板部の辺部から立設して前記モジュールの側面を囲繞する側壁部を備えるハウジングと、
（ｃ）該ハウジングに取付けられた端子と、
（ｄ）前記側壁部に取付けられた保持部材とを有し、
（ｅ）該保持部材は、前記側壁部の外面に配設された平板状の本体部と、該本体部の上端縁に接続された接続片に根本が接続され、前記本体部の内側において前記本体部の長手方向に延在するロックアームであって、その先端部が前記ハウジングの底板部と略平行に移動可能であり、かつ、前記先端部に設けられた係合部位及びガイド部位を含むロックアームと、前記本体部の長手方向の端部の上端縁に接続され、ソケットの内方に向けて延在する上方位置規制片とを備え、
（ｆ）前記モジュールの挿入によって前記ガイド部位が外方に向いた力を受け、前記ロックアームの先端部が外方に変位して前記モジュールを受け入れるとともに、
（ｇ）前記係合部位によって所定の位置に挿入されたモジュールを係止し、
（ｈ）前記ロックアームの先端部は、前記本体部によって外方への変位が規制され、前記上方位置規制片によって上方への変位が規制されることを特徴とするモジュール用ソケット。
【請求項２】
一つの保持部材が、複数のロックアームを備える請求項１に記載のモジュール用ソケット。
【請求項３】
前記保持部材が一又は複数の対として対向して前記側壁部に取付けられている請求項１又は２に記載のモジュール用ソケット。
【請求項４】
前記ガイド部位と係合部位とは、前記ロックアームの先端部に独立して設けられている請求項１〜３のいずれか１項に記載のモジュール用ソケット。
【請求項５】
前記側壁部は、上端縁に一又は複数の切欠部を備え、前記ロックアームが前記切欠部内に進入する請求項１〜４のいずれか１項に記載のモジュール用ソケット。
【請求項６】
前記端子は、前記底板部と側壁部とに跨って形成された凹部内にその腕部を突出させて収容され、挿入された前記モジュールに対して上方に力を及ぼすことによって、前記モジュールを前記係合部位と腕部とにより挟持する請求項１〜５のいずれか１項に記載のモジュール用ソケット。
【請求項７】
前記端子の腕部の先端が前記ハウジングの底板部の上面より下方に位置する請求項６に記載のモジュール用ソケット。
【発明の詳細な説明】
【技術分野】
【０００１】
本発明は、モジュール用ソケットに関するものである。
【背景技術】
【０００２】
従来、ＣＣＤ（Ｃｈａｒｇｅ  Ｃｏｕｐｌｅｄ  Ｄｅｖｉｃｅ：電荷結合素子）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ：相補型金属酸化物半導体）イメージセンサ等の撮像素子とレンズ等の光学素子とを一体化したカメラモジュールを携帯電話機、ＰＤＡ（Ｐｅｒｓｏｎａｌ  Ｄｉｇｉｔａｌ  Ａｓｓｉｓｔａｎｔ）等の小型電子機器の基板に実装するためにモジュール用ソケットが使用されている（例えば、特許文献１参照。）。
【０００３】
図７は従来のモジュール用ソケットの断面図である。
【０００４】
図において、３０３はモジュール用ソケットのソケットハウジングである。また、３０２はカメラモジュールであり、ソケットハウジング３０３内に取付けられている。そして、該ソケットハウジング３０３の対向する側壁内面には、カメラモジュール３０２の段差部に形成された係止面３１０と係合してカメラモジュール３０２をロックするための係止具３０４が二組ずつ取付けられている。
【０００５】
なお、一組の係止具３０４は、高さの相違する係止片３０５及び３０６を各々備えている。これは、製造上の寸法誤差に起因し、同一種類のカメラモジュール３０２にも、外形寸法が比較的小さな小型モジュール３０２ａと外形寸法が比較的大きな大型モジュール３０２ｂとが存在することに対する措置である。小型モジュール３０２ａである場合には、低い位置にある係止片３０６が係止面３１０と係合し、大型モジュール３０２ｂである場合には、高い位置にある係止片３０５が係止面３１０と係合するようになっている。
【０００６】
また、ソケットハウジング３０３の底部３０８に取付けられた接続端子３０７は、それ自体の備えるばね性によって底部３０８より上方に突出し、カメラモジュール３０２の底面に形成された接点と接触する。そして、小型モジュール３０２ａである場合には、接続端子３０７の突出量が大きくなり、大型モジュール３０２ｂである場合には、接続端子３０７の突出量が小さくなるようになっている。
【特許文献１】特許第３６２０８３３号公報
【発明の開示】
【発明が解決しようとする課題】
【０００７】
しかしながら、前記従来のモジュール用ソケットにおいては、ロック部品が四つの個別の係止具３０４に分かれているので、部品点数が多くなり、組立工数が増加して、コストが高くなってしまう。また、カメラモジュール３０２をモジュール用ソケットに取付けたり、モジュール用ソケットから取外したりする際には、四つの個別の係止具３０４を同時に作動させる必要があるが、手指等によって四つの個別の係止具３０４を同時に作動させることは困難であり、操作性が悪くなってしまう。さらに、係止具３０４の姿勢を規制する手段がないので、係止具３０４が内側に倒れ過ぎたりしても防止することができず、操作を誤ると係止具３０４が破損したり変形したりしてしまう。さらに、係止具３０４がカメラモジュール３０２をロックする機能が十分に強くないので、何らかの原因でモジュール用ソケットが外部から衝撃を受けた場合に、カメラモジュール３０２がモジュール用ソケットから飛出してしまうことがあった。
【０００８】
さらに、係止具３０４に湾曲部を確保しつつ十分なばね性を具備させつつカメラモジュール３０２を係止するためには係止具３０４の高さを十分に確保しなければならないが、その結果、ソケットの薄型化が困難になるという問題もあった。
【０００９】
本発明は、前記従来のモジュール用ソケットの問題点を解決して、モジュールの挿入方向に対して直交する方向に延在するロックアームを備える保持部材を使用し、ロックアーム先端の変位を適量に規制する規制手段を配設し、係合部位をロックアーム先端に形成することによって、部品点数が少なく、組立工数が減少してコストが低く、操作性が良好で、ロックアームの破損や変形を防止することができ、モジュールを適切に保持して、モジュールの飛出しを防止することができるモジュール用ソケットを提供することを目的とする。
【課題を解決するための手段】
【００１０】
そのために、本発明のモジュール用ソケットにおいては、モジュールを上方より挿入することにより収容するソケットであって、絶縁性材料から成り、前記モジュールの底部と対向する底板部、及び、該底板部の辺部から立設して前記モジュールの側面を囲繞する側壁部を備えるハウジングと、該ハウジングに取付けられた端子と、前記側壁部に取付けられた保持部材とを有し、該保持部材は、前記側壁部の外面に配設された平板状の本体部と、該本体部の上端縁に接続された接続片に根本が接続され、前記本体部の内側において前記本体部の長手方向に延在するロックアームであって、その先端部が前記ハウジングの底板部と略平行に移動可能であり、かつ、前記先端部に設けられた係合部位及びガイド部位を含むロックアームと、前記本体部の長手方向の端部の上端縁に接続され、ソケットの内方に向けて延在する上方位置規制片とを備え、前記モジュールの挿入によって前記ガイド部位が外方に向いた力を受け、前記ロックアームの先端部が外方に変位して前記モジュールを受け入れるとともに、前記係合部位によって所定の位置に挿入されたモジュールを係止し、前記ロックアームの先端部は、前記本体部によって外方への変位が規制され、前記上方位置規制片によって上方への変位が規制される。
【００１１】
本発明の他のモジュール用ソケットにおいては、さらに、一つの保持部材が、複数のロックアームを備える。
【００１２】
本発明の更に他のモジュール用ソケットにおいては、さらに、前記保持部材が一又は複数の対として対向して前記側壁部に取付けられている。
【００１４】
本発明の更に他のモジュール用ソケットにおいては、さらに、前記ガイド部位と係合部位とは、前記ロックアームの先端部に独立して設けられている。
【００１５】
本発明の更に他のモジュール用ソケットにおいては、さらに、前記側壁部は、上端縁に一又は複数の切欠部を備え、前記ロックアームが前記切欠部内に進入する。
【００１７】
本発明の更に他のモジュール用ソケットにおいては、さらに、前記端子は、前記底板部と側壁部とに跨って形成された凹部内にその腕部を突出させて収容され、挿入された前記モジュールに対して上方に力を及ぼすことによって、前記モジュールを前記係合部位と腕部とにより挟持する。
【００１８】
本発明の更に他のモジュール用ソケットにおいては、さらに、前記端子の腕部の先端が前記ハウジングの底板部の上面より下方に位置する。
【発明の効果】
【００１９】
本発明によれば、モジュール用ソケットは、モジュールの挿入方向に対して直交する方向に延在するロックアームを備える保持部材が使用され、ロックアーム先端の変位を規制する規制手段が配設され、モジュールの誘込みガイド及び係止爪をロックアーム先端に形成している。これにより、部品点数が少なく、組立工数が減少してコストが低く、操作性が良好で、ロックアームの破損や変形を防止することができ、モジュールのロックを確実に行いうるとともに、モジュールの飛出しを防止することができる上、ソケット自体を薄型化することができる。
【発明を実施するための最良の形態】
【００２０】
以下、本発明の実施の形態について図面を参照しながら詳細に説明する。
【００２１】
図１は本発明の実施の形態におけるソケットの斜視図、図２は本発明の実施の形態におけるソケットの断面図であり図１のＡ−Ａ矢視断面図である。
【００２２】
図において、１０は本実施の形態におけるモジュール用ソケットとしてのソケットであり、後述されるモジュール５１を基板に電気的に接続するために使用される。なお、本実施の形態において、モジュール５１は、例えば、ＣＣＤ、ＣＭＯＳイメージセンサ等の撮像素子とレンズ等の光学素子とを一体化したカメラモジュールであるが、いかなる種類のモジュールであってもよく、赤外線センサ、指紋読取センサ等のセンサを含むセンサモジュール、マイクロホン等の音響素子モジュール等のようなモジュールであってもよい。また、ソケット１０は、モジュール５１を、例えば、携帯電話機、ＰＤＡ等の小型電子機器に実装するために使用されるが、いかなる装置に実装するために使用されてもよく、テレビ、洗濯機、冷蔵庫等の家庭用電気装置、防犯用監視装置、自動車等の装置に実装するために使用されてもよい。さらに、ソケット１０は、プリント回路基板等の基板に実装されるが、該基板はリジットかフレキシブルかを問わず、また、いかなる材質、種類の基板であってもよい。
【００２３】
また、本実施の形態において、ソケット１０の各部の構成及び動作を説明するために使用される上、下、左、右、前、後等の方向を示す表現は、絶対的なものでなく相対的なものであり、ソケット１０又はその構成部品が図に示される姿勢である場合に適切であるが、ソケット１０又はその構成部品の姿勢が変化した場合には姿勢の変化に応じて変更して解釈されるべきものである。
【００２４】
図１に示されるように、ソケット１０は、前記モジュール５１を収容するハウジング部材１１、該ハウジング部材１１に取付けられる端子２１、及び、ハウジング部材１１に取付けられる保持部材３１を有し、一端面が開放された有底容器状の形状を備える。なお、本実施の形態においては、該有底容器が概略直方体である場合、すなわち、四角筒状の形状を備え、該四角筒の一方の端面が塞（ふさ）がれ、前記四角筒の他方の端面が開放されている場合について説明する。
【００２５】
前記ハウジング部材１１は、合成樹脂等の絶縁性材料によって一体的に形成され、前記四角筒の一方の端面に相当し、前記モジュール５１の底面と対向する矩形の底板部１３と、該底板部１３の四辺から立設して、前記モジュールの側面を囲繞する四つの側壁部１２とを有する。なお、該側壁部１２は、前記四角筒の側面に相当し、保持部材３１が取付けられる一対の第１側壁部１２ａ、及び、保持部材３１が取付けられない一対の第２側壁部１２ｂを含んでいる。そして、二つの第１側壁部１２ａは互いに対向し、二つの第２側壁部１２ｂは互いに対向する。なお、第１側壁部１２ａ及び第２側壁部１２ｂを統合的に説明する場合には、側壁部１２として説明する。
【００２６】
そして、前記底板部１３の各辺の近傍及び各辺に接続された側壁部１２には、端子２１を収容する凹部としての端子収容部１４が複数形成されている。該端子収容部１４の各々は、図２に示されるように、底板部１３と側壁部１２とに跨って形成された断面形状がＬ字状の細長い凹部であり、内部に一つずつ端子２１を収容する。図示される例において、端子収容部１４は、第１側壁部１２ａには七つずつ形成され、第２側壁部１２ｂには六つずつ形成されているが、その数や配置については、装着されるモジュールに適合させることを条件として適宜決定することができる。
【００２７】
そして、端子２１は、通常、金属板を打抜き、曲げ加工を施すことによって形成され、本体は、略Ｕ字状であり、外側基部２１ａ及び内側基部２１ｂを備え、外側基部２１ａと内側基部２１ｂとが湾曲部によって連結され、該湾曲部が弾性変形することによって、ばねとして機能する。また、外側基部２１ａは、内側基部２１ｂより幅広であり、その部分が前記ハウジング部材１１の端子収容部１４の側壁に底板部１３側より圧入され、先端にはソルダーテールとしてのテール部２２が連続的に形成されている。なお、該テール部２２は外側基部２１ａに対してほぼ直角に曲げて形成されている。
【００２８】
また、内側基部２１ｂの先端には、モジュール５１の底面の側縁に露出する接点に電気的に接続されるコンタクト片として機能する腕部２３が接続されている。該腕部２３は、屈曲部を介して内側基部２１ｂに接続され、斜め下方に向けて延在し、底板部１３の四辺より上側内方に突出する。そして、腕部２３の先端としての自由端（図２における下端）には、横方向に膨出する膨出部２３ａを備える。該膨出部２３ａの幅が端子収容部１４の幅に近似させて形成されているので、腕部２３の横方向（底板部１３の辺が延在する方向）の位置決め精度が向上し、モジュール５１の接点との電気的接続の確実性が向上する。
【００２９】
さらに、腕部２３の自由端は、図２に示されるように、底板部１３の下面と上面との間に位置する。すなわち、端子収容部１４内において底板部１３の厚さの範囲内にあり、ハウジング部材１１の外方へ突出していない。そのため、基板等へ実装するためにソケット１０を搬送したりする際に、腕部２３の自由端は、他の部材等に接触したり、引掛かったりすることがない。したがって、端子２１の不用意な変形を未然に防止することができる。
【００３０】
前記端子２１がハウジング部材１１の端子収容部１４内に装填（てん）された状態では、外側基部２１ａが、端子収容部１４の両側壁を構成する面によって、左右方向から挟まれて固定される。この場合、外側基部２１ａの凸部が端子収容部１４の側壁に食込むので、外側基部２１ａは確実に固定される。また、図２に示されるように、テール部２２の下面はハウジング部材１１の底板部１３の下面よりわずかに下方に突出し、腕部２３の自由端以外の部分は底板部１３の四辺より上側内方に突出する。そして、前記テール部２２は、図示されない基板の面上に形成された配線又は該配線に接続されたランドに、はんだ付等によって接続される。
【００３１】
本実施の形態においては、ハウジング部材１１の第１側壁部１２ａにモジュール５１をロックするための保持部材３１が各々取付けられる。各保持部材３１は、第１側壁部１２ａよりもやや幅広の長方形状であって単一の金属製板部材から成り、本体部３１ａの両側の端部３１ｂを本体部３１ａに対して直角に屈曲させて形成された概略コ字状の部材である。そして、本体部３１ａは、第１側壁部１２ａの長さにほぼ等しい長さを備え、第１側壁部１２ａの外面を長手方向の全体に亘（わた）り覆い、端部３１ｂは、第１側壁部１２ａの両側に接続された第２側壁部１２ｂの両端近傍の外面を覆うように取付けられる。なお、本体部３１ａには係合孔（こう）３５が形成され、該係合孔３５が第１側壁部１２ａの外面に形成された係合突起１５と係合する。また、端部３１ｂの先端上縁からは固定突出片３３が突出し、該固定突出片３３が第２側壁部１２ｂの上縁に形成された固定片１６の周囲に巻付けられようにして固定される。
【００３２】
さらに、保持部材３１の下端縁には、下方向に突出する複数の下側突起３２が形成されている。そして、第１側壁部１２ａに保持部材３１が取付けられると、図２に示されるように、下側突起３２の下端面は、端子２１のテール部２２の下面と同様に、底板部１３の下面よりわずかに下方に突出する。そのため、下側突起３２の下端面を基板面上の接続パッド等の接続部に、はんだ付等によって確実に接続することができる。なお、前記配線又は接続パッドの中の少なくともいくつかは、基板のグランド用の配線に接続するようにしてもよい。これにより、前記保持部材３１は接地され、電磁シールドとして機能することができる。なお、下側突起３２の数や配置は、基板の面上に形成された信号用の配線に干渉することがないように、適宜変更することができる。
【００３３】
また、各保持部材３１の本体部３１ａの上端縁には、横方向に突出する一対のロックアーム４１が形成されている。保持部材３１の本体部３１ａの長手方向中央付近の上端縁には、下方向へ向けて曲げられた接続片４２が一体的に接続され、さらに、該接続片４２に、端部３１ｂに向けて横方向、すなわち、保持部材３１の本体部３１ａの長手方向に延在するロックアーム４１が一体的に接続されている。そして、該ロックアーム４１は、先端部４１ｃが底板部１３の表面と略平行に移動可能となっている。さらに、ロックアーム４１の先端部４１ｃは、ハウジング部材１１の四隅に配設され、係合部材として、モジュール５１を誘込むガイド部位としてのガイド片４３及びモジュール５１と係合する係合部位としての係合片４４が接続されている。また、第１側壁部１２ａの上端縁の少なくとも両端を含む範囲には切欠部１７が形成され、前記ロックアーム４１は、少なくとも先端部４１ｃが前記切欠部１７内に進入している。そして、ガイド片４３及び係合片４４の一部は、前記切欠部１７を通して、第１側壁部１２ａの内面よりソケット１０の内方に突出する。これにより、概略直方体のソケット１０における四隅でモジュール５１をロックすることができるので、モジュール５１を安定した状態に保ちながら確実にロックすることができる。
【００３４】
次に、前記ロックアーム４１の構成について詳細に説明する。
【００３５】
図３は本発明の実施の形態における保持部材の斜視図、図４は本発明の実施の形態におけるロックアームの要部拡大斜視図であり図１の右上角部拡大図である。
【００３６】
図３に示されるように、ロックアーム４１は、接続片４２に接続された根本部４１ａ、該根本部４１ａから端部３１ｂに向けて横方向に延在する細長い板状の片持梁、すなわち、カンチレバーのような形状の本体部４１ｂ、及び、該本体部４１ｂの自由端に接続され、ガイド片４３及び係合片４４を備える先端部４１ｃを有する。なお、前記ロックアーム４１は、金属等のばね性を備えた材料から成る板材に打抜き、折曲げ等の加工を施すことによって成形された部材であり、本体部４１ｂは、保持部材３１の本体部３１ａと平行な根本部４１ａに対して所定の角度を形成するように曲げられている。また、先端部４１ｃは、根本部４１ａとほぼ平行になるように、本体部４１ｂに対して所定の角度を形成するように曲げられている。そのため、先端部４１ｃは、保持部材３１の本体部３１ａに対して、根本部４１ａよりも離間している。これにより、図４に示されるように、保持部材３１を第１側壁部１２ａに取付けた状態で、根本部４１ａが第１側壁部１２ａの外面に接しているのに対し、先端部４１ｃは切欠部１７内に進入している。
【００３７】
そして、先端部４１ｃの下端縁にはガイド片４３が一体的に接続されている。該ガイド片４３は、根本端が先端部４１ｃに対してほぼ直角となるように接続され、ソケット１０の内方に向けて延在し、途中でほぼ直角に上方に向けて曲げられ、さらに、途中でソケット１０の外方に向けて傾斜するように曲げられている。そのため、ガイド片４３は、概略台形の側面形状を備え、自由端である先端がロックアーム４１の先端部４１ｃよりもわずかにソケット１０の外方に位置するようになっている。そして、ガイド片４３の先端近傍には、ソケット１０の下側内方に向けて傾斜するテーパ面４３ａが形成される。これにより、モジュール５１をソケット１０内に挿入する場合に、モジュール５１の底面と側面との境界となっている角部、すなわち、下側の側端縁が前記テーパ面４３ａに摺（しゅう）接しながらスムーズに誘込まれる。この場合、ガイド片４３がモジュール５１の下側の側端縁によってソケット１０の外方に向いた力を受け、ロックアーム４１の先端部４１ｃは、弾性的にソケット１０の外方に向けて変位する。また、モジュール５１が更に挿入されると、該モジュール５１の側面は、前記テーパ面４３ａの下に続くガイド片４３の垂直面を摺接しながら移動する。そして、モジュール５１の側面に形成された係合用段差部がガイド片４３を通過して下方に移動すると、ガイド片４３がソケット１０の外方に向いた力を受けることがなくなるので、ロックアーム４１の先端部４１ｃは、そのばね性によってソケット１０の内方に向けて変位する。これにより、ガイド片４３の下面がモジュール５１の係合用段差部の上面と係合し、モジュール５１がロックアーム４１によってロックされる。
【００３８】
また、ロックアーム４１の先端部４１ｃの下端縁には係合片４４も一体的に接続されている。該係合片４４は、根本端が先端部４１ｃに対してほぼ直角となるように接続され、ソケット１０の内方に向けて延在する。なお、係合片４４の先端は、ガイド片４３の垂直面よりもソケット１０の内方に突出しないように形成されている。そのため、モジュール５１をソケット１０内に挿入する場合に、モジュール５１の側面が係合片４４の先端に摺接することがない。また、係合片４４の下面は、ガイド片４３の下面とほぼ同一の高さに位置し、モジュール５１の係合用段差部の上面と係合する。すなわち、係合片４４は、ガイド片４３とともに、モジュール５１するためのロック部として機能する。
【００３９】
そして、保持部材３１の端部３１ｂの上端縁には上方位置規制片３４が一体的に接続されている。該上方位置規制片３４は、根本端が端部３１ｂに対してほぼ直角となるように接続され、ソケット１０の内方に向けて延在する。そして、ロックアーム４１の自由端である先端、すなわち、先端部４１ｃの先端は、上方位置規制片３４の下方に位置し、その上方への変位が上方位置規制片３４によって規制される。つまり、ロックアーム４１が外力を受けても、ロックアーム４１の先端は、上方位置規制片３４に当接するとそれ以上に上方に変位することがない。
【００４０】
また、保持部材３１を第１側壁部１２ａに取付けた状態で、ロックアーム４１の先端部４１ｃの先端は、切欠部１７内に進入し、該切欠部１７の上面である下方位置規制面１７ａの上方に位置している。そのため、ロックアーム４１の先端は、その下方への変位が下方位置規制面１７ａによって規制される。つまり、ロックアーム４１が外力を受けても、ロックアーム４１の先端は、下方位置規制面１７ａに当接するとそれ以上に下方に変位することがない。
【００４１】
さらに、保持部材３１を第１側壁部１２ａに取付けた状態で、ロックアーム４１の先端部４１ｃの先端は、切欠部１７内に進入し、第２側壁部１２ｂの上縁に形成された固定片１６の側面である内方位置規制面１６ａに対面している。そのため、ロックアーム４１の先端は、ソケット１０の内方への変位が内方位置規制面１６ａによって規制される。つまり、ロックアーム４１が外力を受けても、ロックアーム４１の先端は、内方位置規制面１６ａに当接するとそれ以上に内方に変位することがない。
【００４２】
さらに、ロックアーム４１の先端部４１ｃよりソケット１０の外方には、保持部材３１の本体部３１ａが位置する。そのため、ロックアーム４１の先端は、ソケット１０の外方への変位が本体部３１ａの内面によって規制される。つまり、ロックアーム４１が外力を受けても、ロックアーム４１の先端は、本体部３１ａの内面に当接するとそれ以上に外方に変位することがない。
【００４３】
このように、ロックアーム４１の先端は、位置規制部として機能する上方位置規制片３４、下方位置規制面１７ａ、内方位置規制面１６ａ及び本体部３１ａの内面によって、上方、下方、内方及び外方への変位が、各々規制されるようになっている。そのため、ロックアーム４１は、外力を受けたりした場合であっても、過剰に変形することがないので、破損したり、塑性変形したりすることがない。
【００４４】
次に、前記ソケット１０にモジュール５１を実装する動作について説明する。
【００４５】
図５は本発明の実施の形態におけるモジュールを実装した後のソケットの斜視図、図６は本発明の実施の形態におけるモジュールを実装した後のソケットの断面図であり図５のＢ−Ｂ矢視断面図である。
【００４６】
ここで、ソケット１０はあらかじめ図示されない基板に取付けられているものとする。該基板は信号用の配線を有し、該配線は、少なくともソケット１０を取付ける部位において上面に露出して接続部を形成するか又は上面に露出する接続パッド等の接続部に接続され、ソケット１０の端子２１をはんだ付等の接続手段によって接続することができるようになっている。そして、前記接続部に端子２１のテール部２２の下面がはんだ付等の接続手段によって接続されている。また、基板の表面には保持部材３１を取付けるための接続パッド等の接続部が配設され、保持部材３１の下側突起３２をはんだ付等の接続手段によって接続することができるようになっている。なお、保持部材３１を取付けるための接続部の中の少なくともいくつかは、基板のグランド用の配線に接続するようにしてもよい。
【００４７】
例えば、接続手段としてはんだ付を使用して、ソケット１０を基板に取付ける場合、該基板の上面に露出する接続部の上面にペースト状のはんだを付与し、該はんだをリフローさせることによってはんだ付が行われる。この場合、はんだが付与された接続部上に対応する端子２１のテール部２２及び保持部材３１の下側突起３２が位置するようにして、ソケット１０が基板上に載置される。そして、ソケット１０が基板上に載置された状態で、加熱炉等の加熱手段によってはんだを加熱してリフローさせることにより、はんだ付が行われる。
【００４８】
そして、モジュール５１は、上方からハウジング部材１１内に挿入され、図５及び６に示されるように、ソケット１０に実装される。なお、前記モジュール５１は、概略円柱状の形状を備える上側部５２、及び、概略直方体状の形状を備える下側部５３を有する。また、該下側部５３の底面の側端縁、すなわち、底面と側面との境界となっている角部、すなわち、下側の側端縁の所定位置には接点が露出し、所定の端子２１の腕部２３に接続される。
【００４９】
ここで、下側部５３の側面は、モジュール５１をハウジング部材１１内に挿入する際に、ロックアーム４１のガイド片４３が摺接する面であり、また、下側部５３の上面はガイド片４３及び係合片４４が係合するモジュール５１の係合用段差部として機能する。モジュール５１をハウジング部材１１内に挿入すると、ロックアーム４１のガイド片４３が第１側壁部１２ａの内面よりもソケット１０の内方に突出しているので、下側部５３の底面の側端縁は、まず、ガイド片４３のテーパ面４３ａに当接する。続いて、モジュール５１が更に挿入されると、前記下側部５３の底面の側端縁は、前記テーパ面４３ａに摺接しながら下方に移動する。これにより、前記ガイド片４３が下側部５３の底面の側端縁によってソケット１０の外方に向いた力を受けるので、ロックアーム４１の先端部４１ｃは、弾性的にソケット１０の外方に向けて変位する。
【００５０】
続いて、モジュール５１が更に挿入されると、該モジュール５１の下側部５３の側面は、前記テーパ面４３ａの下に続くガイド片４３の垂直面を摺接しながら下方に移動する。そして、下側部５３の上面の側端縁がガイド片４３を通過して下方に移動すると、該ガイド片４３がソケット１０の外方に向いた力を受けることがなくなるので、ロックアーム４１の先端部４１ｃは、ロックアーム４１の備えるばね性によってソケット１０の内方に向けて変位する。そのため、ガイド片４３の下面が下側部５３の上面、すなわち、モジュール５１の係合用段差部の上面と係合し、係合片４４の下面も、同様に、モジュール５１の係合用段差部の上面と係合する。これにより、モジュール５１のハウジング部材１１内への挿入が完了し、図５及び６に示されるように、モジュール５１は、ロックアーム４１によってロックされ、ソケット１０に実装される。
【００５１】
また、モジュール５１がロックアーム４１によってロックされてソケット１０に実装された状態では、端子２１の腕部２３は、下側部５３の底面の側端縁に配設された接点と当接し、押圧されて変位している。この場合、主として端子２１の湾曲部が弾性変形することによって、前記腕部２３は、外方及び下方に弾性的に変位している。一方、端子２１がばねとして機能するので、モジュール５１は、弾性的に変位している腕部２３からの反力を受ける。この場合、腕部２３が傾斜しているので、該腕部２３に当接している下側部５３の底面の側端縁は内方及び上方に向けた付勢力を受けることになる。
【００５２】
これにより、モジュール５１は、四つの側壁部１２に配設された端子２１のばねとしての機能によって四方から内方に向けて付勢されるので、四方から挟込まれた状態となって弾性的に保持され、横方向にがたつくことがない。また、モジュール５１は、端子２１のばねとしての機能によって上方に押上げる力を受けるが、ロックアーム４１のガイド片４３及び係合片４４が係合用段差部の上面と係合しているので上方への移動が規制される。そのため、モジュール５１は、端子２１とロックアーム４１とによって上下から挟込まれた状態となって弾性的に保持されるので、上下方向にがたつくことがない。この上下及び四方からの挟持によって、ソケット１０内においてモジュール５１は十分な保持力を持って装着状態を維持されることとなる。
【００５３】
このように、本実施の形態において、ソケット１０は、ハウジング部材１１の四つの側壁部１２の中の互いに対向する一対の第１側壁部１２ａに取付けられた一対の保持部材３１を有している。そして、各保持部材３１は、先端部４１ｃがハウジング部材１１の底板部１３の表面と略平行に移動可能な一対のロックアーム４１を備え、更に、各先端部４１ｃは、モジュール５１と係合するガイド片４３及び係合片４４を備え、ハウジング部材１１の四隅に配設されている。
【００５４】
そのため、一つのソケット１０に対して一対の保持部材３１を取付けるだけでよいので、ソケット１０は、部品点数が少なく、組立工数が減少し、製造コストが低減される。また、ロックアーム４１は、操作性が良好で、モジュール５１をロックする機能が強く、モジュール５１の飛出しを確実に防止することができる。さらに、ガイド片４３及び係合片４４を備えるロックアーム４１の先端部４１ｃがハウジング部材１１の底板部１３の表面と略平行に移動するので、ソケット１０の高さを低くすることができ、ソケット１０を小型化することができる。
【００５５】
また、ロックアーム４１は、先端部４１ｃの上方、下方、内方及び外方に配設された位置規制部としての上方位置規制片３４、下方位置規制面１７ａ、内方位置規制面１６ａ及び本体部３１ａの内面によって、上方、下方、内方及び外方への変位が、各々適量に規制されるようになっている。
【００５６】
そのため、ロックアーム４１は、外力を受けたりした場合であっても、過剰に変形することがないので、破損したり、塑性変形したりすることがなく、機能性及び信頼性が向上する。また、モジュール５１が実装された小型電子機器を落下させた場合のように、大きな衝撃を受けても、ロックアーム４１の変位が規制されているので、モジュール５１がソケット１０から離脱することがない。したがって、前記小型電子機器の耐落下衝撃性が向上する。
【００５７】
さらに、ガイド片４３が下側内方に向けて傾斜するテーパ面４３ａを備え、モジュール５１を下方に移動させるだけでロックアーム４１が作動するので、モジュール５１を挿入する際の操作性を向上する。
【００５８】
さらに、端子２１の腕部２３の先端が端子収容部１４の底板部１３に形成された部分内に位置するので、ケーブルが引っかかるなどの要因による端子２１の変形を未然に防止することができる。
【００５９】
なお、本発明は前記実施の形態に限定されるものではなく、本発明の趣旨に基づいて種々変形させることが可能であり、それらを本発明の範囲から排除するものではない。
【図面の簡単な説明】
【００６０】
【図１】本発明の実施の形態におけるソケットの斜視図である。
【図２】本発明の実施の形態におけるソケットの断面図であり図１のＡ−Ａ矢視断面図である。
【図３】本発明の実施の形態における保持部材の斜視図である。
【図４】本発明の実施の形態におけるロックアームの要部拡大斜視図であり図１の右上角部拡大図である。
【図５】本発明の実施の形態におけるモジュールを実装した後のソケットの斜視図である。
【図６】本発明の実施の形態におけるモジュールを実装した後のソケットの断面図であり図５のＢ−Ｂ矢視断面図である。
【図７】従来のモジュール用ソケットの断面図である。
【符号の説明】
【００６１】
１０    ソケット
１１    ハウジング部材
１２ａ    第１側壁部
１２ｂ    第２側壁部
１３    底板部
１４    端子収容部
１５    係合突起
１６    固定片
１６ａ    内方位置規制面
１７    切欠部
１７ａ    下方位置規制面
２１    端子
２１ａ    外側基部
２１ｂ    内側基部
２２    テール部
２３    腕部
２３ａ    膨出部
３１    保持部材
３１ａ、４１ｂ    本体部
３１ｂ    端部
３２    下側突起
３３    固定突出片
３４    上方位置規制片
３５    係合孔
４１    ロックアーム
４１ａ    根本部
４１ｃ    先端部
４２    接続片
４３    ガイド片
４３ａ    テーパ面
４４    係合片
５１    モジュール
５２    上側部
５３    下側部
３０２    カメラモジュール
３０２ａ    小型モジュール
３０２ｂ    大型モジュール
３０３    ソケットハウジング
３０４    係止具
３０５、３０６    係止片
３０７    接続端子
３０８    底部
３１０    係止面
【図１】
0004711797.tif 000002
【図２】
0004711797.tif 000003
【図３】
0004711797.tif 000004
【図４】
0004711797.tif 000005
【図５】
0004711797.tif 000006
【図６】
0004711797.tif 000007
【図７】
0004711797.tif 000008